(57)【要約】【課題】製造および施工の手間、コストを抑えることができると共に、デザイン性を向上することができる手摺用コーナー接続具を提供する。【解決手段】  手摺用コーナー接続具１００は、フレーム１０と、第１のカバー部材２０Ａと、第２のカバー部材２０Ｂとから構成される。端板部１１の端面にテーパ状側壁の凹部１３が設けられ、また端板部１１の内側において円周上の対向する位置の２箇所に切欠部１４が設けられる。また、第１のカバー部材２０Ａと第２のカバー部材２０Ｂとは、両端にそれぞれ係止爪２１Ａ，２１Ｂが設けられ、この係止爪２１Ａ，２１Ｂは、フレーム１０の切欠部１４に嵌入することで第１のカバー部材２０Ａと第２のカバー部材２０Ｂがフレーム１０に装着される。【選択図】      図１
2008002216.tif 000002
【特許請求の範囲】
【請求項１】
少なくとも一端が長尺状の手摺部材に接続される手摺用コーナー接続具において、
２個の端板部と、前記端板部の間に位置して前記端板部と一体に形成される湾曲部とから構成されるフレームと、
前記湾曲部の周囲を覆う第１のカバー部材と第２のカバー部材とからなるカバー部材とを備え、
前記端板部と前記カバー部材との間に互いに係脱可能な切欠部と係止爪を有し、かつ前記第１のカバー部材と第２のカバー部材とは同一形状に形成されることを特徴とする手摺用コーナー接続具。
【請求項２】
前記湾曲部の中央部に前記第１のカバー部材と前記第２のカバー部材を位置決めすると共に、前記湾曲部を補強する補強部が設けられることを特徴とする請求項１記載の手摺用コーナー接続具。
【請求項３】
前記端板部の端面には、前記長尺状の手摺部材の端部に設けられたテーパ部を嵌入するためのテーパ状側壁の凹部を有することを特徴とする請求項１または２記載の手摺用コーナー接続具。
【請求項４】
前記凹部に嵌入するテーパ部を有し、前記フレームの一端に装着されるスペーサをさらに備え、
一端が前記長尺状の手摺部材に接続され、他端が前記スペーサを介して壁面に装着されることを特徴とする請求項３記載の手摺用コーナー接続具。
【発明の詳細な説明】
【技術分野】
【０００１】
本発明は、壁面に沿って手摺を取り付けるときコーナー部に取り付けられる手摺用コーナー接続具に関するものである。
【背景技術】
【０００２】
公共施設や住宅の階段や廊下などには、安全や誘導用として手摺が設けられており、特に最近では広い世代が共通に安全に過ごせる居住環境を作るという要望からマンションや一般家庭の廊下や階段などの側壁に手摺を設ける需要が増えてきている。手摺には、階段の昇り降りなどの場合にしっかり握れるように丸棒状の手摺が多く使用されている。廊下の曲がり角や階段の踊り場では、手摺を連続的に設けるためには、手摺用コーナー接続具が用いられている。
【０００３】
例えば、凹状又は凸状の角 部を有する壁面上に、該壁面に沿って且つ角部を跨いで手摺を連続的に設置する場合、角部に対応する位置においては、一方側の壁面側に設置される直形手摺の端部と、他方の壁面側に設置される直形手摺の端部とを、予めエルボ状に屈曲成形された屈曲手摺によって接続し、これによって壁面上における手摺の連続性を実現している。
【０００４】
近年、金属、木製の手摺に代わって、木質感のある合成樹脂を使用した手摺が普及してきている。この合成樹脂製手摺は、長手方向に切り欠かれた合成樹脂製筒状体の内側に、該筒状体の中空部に合致する長尺状で各種形状の金属フレームを嵌入補強した構成である。
【０００５】
このような合成樹脂製手摺を連続して取り付ける場合において、途中から上下左右等に取り付け方向を変える際、取り付け角度が自由に変えられる合成樹脂製手摺の取付構造に使用される可変継ぎ手が提案されている（特許文献１参照）。
【０００６】
特許文献１に係る合成樹脂製手摺の取付構造に使用される可変継ぎ手は、湾曲円筒状部材とボスで構成されている。湾曲円筒状部材は、外周面が長手方向に切り欠かれた湾曲円筒状で、その両端面に円形板体が一体に形成され、また、この両円形板体には、それぞれボス取付用の中心孔と、この中心孔の周囲に合成樹脂製手摺の金属フレームに取り付けるための複数個のネジ止め孔が一体に形成されている。
【０００７】
【特許文献１】特開平１０−１２１６８９号公報
【発明の開示】
【発明が解決しようとする課題】
【０００８】
特許文献１に係る合成樹脂製手摺の取付構造に使用される可変継ぎ手は、円形板体の端面と手摺の金属フレームの端面とをそのまま連結するため、間隙が存在し、デザイン性が欠けているという問題点がある。
【０００９】
また、特許文献１に係る合成樹脂製手摺の取付構造に使用される可変継ぎ手の場合、カバー部材は柔らかい樹脂材を使用して、接着をしない限り使用中に外れてしまう恐れがあるので、開口部等を接着することが必要である。そのため、施工が複雑となり、コストも高くなるという問題点があった。
【００１０】
また、カバー部材が接着剤で固着されているため、カバー部材の交換等において取り付けおよび取り外しを簡易に行うことができないという問題点があった。
【００１１】
なお、特許文献１に係る合成樹脂製手摺の取付構造に使用される可変継ぎ手は、手摺のエンドとして利用する場合、円形板体の端面により壁面が傷つく可能性がある。
【００１２】
そこで、本発明は、このような問題点を考慮してなされたもので、製造および施工の手間、コストを抑えることができると共に、デザイン性を向上することができる手摺用コーナー接続具を提供することを目的とする。
【課題を解決するための手段】
【００１３】
上記課題を解決するため、本発明に係る手摺用コーナー接続具は、特許請求の範囲の請求項１〜４に記載の手段を採用する。
【００１４】
即ち、請求項１に記載のように、少なくとも一端が長尺状の手摺部材に接続される手摺用コーナー接続具において、２個の端板部と、前記端板部の間に位置して前記端板部と一体に形成される湾曲部とから構成されるフレームと、前記湾曲部の周囲を覆う第１のカバー部材と第２のカバー部材とからなるカバー部材とを備え、前記端板部と前記カバー部材との間に互いに係脱可能な切欠部と係止爪を有し、かつ前記第１のカバー部材と第２のカバー部材とは同一形状に形成されることを特徴とする。
【００１５】
また、請求項２に記載のように、請求項１の手摺用コーナー接続具において、前記湾曲部の中央部に前記第１のカバー部材と前記第２のカバー部材を位置決めすると共に、前記湾曲部を補強する補強部が設けられることを特徴とする。
【００１６】
また、請求項３に記載のように、請求項１または２の手摺用コーナー接続具において、前記端板部の端面には、前記長尺状の手摺部材の端部に設けられたテーパ部を嵌入するためのテーパ状側壁の凹部を有することを特徴とする。
【００１７】
また、請求項４に記載のように、請求項３の手摺用コーナー接続具において、前記凹部に嵌入するテーパ部を有し、前記フレームの一端に装着されるスペーサをさらに備え、一端が前記長尺状の手摺部材に接続され、他端が前記スペーサを介して壁面に装着されることを特徴とする。
【発明の効果】
【００１８】
請求項１に記載の発明においては、湾曲部の周囲を覆う第１のカバー部材と第２のカバー部材とからなるカバー部材を用いることで、カバー部材は同一形状のものを２個使用することができ、カバー部材の製造が容易になる。また、端板部とカバー部材との間に互いに係脱可能な切欠部と係止爪を有することで、施工の手間、コストを抑えることができると共に、デザイン性を向上することができる。美観性と操作性とを共に図ることができる。
【００１９】
また、カバー部材を装着する際に、接着等の作業が不要となり、カバー部材の交換等において取り付けおよび取り外しを簡易に行うことができる。
【００２０】
請求項２に記載の発明においては、湾曲部の中央部に第１のカバー部材と第２のカバー部材を位置決めすると共に、湾曲部を補強する補強部を設けることで、湾曲部が薄く形成しても所望の強度を得ることができ、また、第１のカバー部材と第２のカバー部材の装着が容易にできる。
【００２１】
請求項３に記載の発明においては、端板部の端面に、長尺状の手摺部材の端部に設けられたテーパ部を嵌入するためのテーパ状側壁の凹部を有することで、従来のような間隙が存在せず、美観性が優れている。
【００２２】
請求項４に記載の発明においては、スペーサを備えることで、手摺のエンドとして利用できる。また、スペーサを壁面に装着することで、壁面に傷をつけることを防止することができる。
【発明を実施するための最良の形態】
【００２３】
本発明に係る手摺用コーナー接続具を実施するための最良の形態を、図を参照して説明する。
【００２４】
図１は、第１の実施の形態の手摺用コーナー接続具１００の構成を示す分解斜視図である。図２は、フレーム１０の構成を示す側面図である。図３は、手摺コーナーとしての組立状態を示す斜視図である。
【００２５】
図１、図２に示すように、手摺用コーナー接続具１００は、フレーム１０と、第１のカバー部材２０Ａと、第２のカバー部材２０Ｂとから構成されている。
【００２６】
フレーム１０は、２個の端板部１１と、この２個の端板部１１の間に位置して端板部１１と一体に形成される湾曲部１２とから構成される。このフレーム１０は、金属材または合成樹脂材等を材料に形成され、この例において、金属材で形成される。
【００２７】
端板部１１の端面にテーパ状側壁の凹部１３が設けられている。また、端板部１１の内側（湾曲部１２側）において円周上の対向する位置の２箇所に切欠部１４が設けられている。この例では、端板部１１の内側に段差部を設け、この段差部の外周面に２箇所に切欠部１４が設けられている。各切欠部１４は、第１のカバー部材２０Ａと第２のカバー部材２０Ｂの係止爪２１Ａ，２１Ｂが嵌入できるように形成されている。
【００２８】
また、端板部１１に貫通穴１５と、複数の取付ネジ用穴１６と、スペーサ３０（後述の第２の実施の形態参照）を取り付けるための貫通穴１７とが設けられている。湾曲部１２の中央部に第１のカバー部材２０Ａと第２のカバー部材２０Ｂを位置決めすると共に、湾曲部１２を補強する補強部１８が設けられる。さらに、湾曲部１２の外側に第１のカバー部材２０Ａと第２のカバー部材２０Ｂの嵌合柱２２Ａ，２２Ｂおよび嵌合筒２３Ａ，２３Ｂを回避するための逃げ部１９が形成されている。
【００２９】
カバー部材は、樹脂材料で形成された第１のカバー部材２０Ａと第２のカバー部材２０Ｂとからなる。第１のカバー部材２０Ａと第２のカバー部材２０Ｂとは同一形状に形成されている。
【００３０】
第１のカバー部材２０Ａと第２のカバー部材２０Ｂとは、両端にそれぞれ係止爪２１Ａ，２１Ｂが設けられている。この係止爪２１Ａ，２１Ｂは、フレーム１０の切欠部１４に嵌入することで第１のカバー部材２０Ａと第２のカバー部材２０Ｂがフレーム１０に装着される。
【００３１】
また、第１のカバー部材２０Ａと第２のカバー部材２０Ｂとは、内面から延設される位置決め柱状部２２Ａ，２２Ｂと、位置決め筒状部２３Ａ，２３Ｂと、位置決め凹状部２４Ａ，２４Ｂとが設けられている。ここで、第１のカバー部材２０Ａと第２のカバー部材２０Ｂにおいて、外周側に位置決め柱状部２２Ａ，２２Ｂと位置決め筒状部２３Ａ，２３Ｂがそれぞれ所定の位置に配置され、内周側に位置決め柱状部２２Ａ，２２Ｂと位置決め筒状部２３Ａ，２３Ｂがそれぞれ所定の位置に配置されている。また、位置決め柱状部２２Ａ，２２Ｂが位置決め筒状部２３Ａ，２３Ｂに挿入できるように形成されている。また、位置決め凹状部２４Ａ，２４Ｂの内表面が凹凸状に形成されている。これにより、補強部１８と緊密に接触することができる。
【００３２】
続いて、図３を参照しながら手摺用コーナー接続具１００の装着方法について説明する。
【００３３】
また、図３に示すように、手摺用コーナー接続具１００を装着する際に、まず、取付用ネジ５０でフレーム１０を長尺状の手摺部材１に固定する。ここで、２本の長尺状の手摺部材１の端部に設けられたテーパ部３をフレーム１０の２個の端板部１１の凹部１３にそれぞれ配置し、取付用ネジ５０を取付ネジ用穴１６を介して手摺部材１の端面２に螺入する。
【００３４】
次に、第１のカバー部材２０Ａと第２のカバー部材２０Ｂとをフレーム１０に装着する。ここで、フレーム１０の補強部１８を位置決め凹状部２４Ａ，２４Ｂに嵌め込むように、さらに位置決め柱状部２２Ａ，２２Ｂをそれぞれ位置決め筒状部２３Ａ，２３Ｂに嵌め込むように第１のカバー部材２０Ａと第２のカバー部材２０Ｂとを対向して装着し、そして、第１のカバー部材２０Ａと第２のカバー部材２０Ｂの係止爪２１Ａ，２１Ｂをフレーム１０の切欠部１４に嵌入するように外側から押圧する。これで手摺用コーナー接続具１００の装着が完了する。
【００３５】
このように本実施の形態において、手摺用コーナー接続具１００は、フレーム１０と、第１のカバー部材２０Ａと、第２のカバー部材２０Ｂとから構成される。端板部１１の端面にテーパ状側壁の凹部１３が設けられ、また端板部１１の内側において円周上の対向する位置の２箇所に切欠部１４が設けられる。また、第１のカバー部材２０Ａと第２のカバー部材２０Ｂとは、両端にそれぞれ係止爪２１Ａ，２１Ｂが設けられ、この係止爪２１Ａ，２１Ｂは、フレーム１０の切欠部１４に嵌入することで第１のカバー部材２０Ａと第２のカバー部材２０Ｂがフレーム１０に装着される。
【００３６】
これにより、カバー部材は同一形状のものを２個使用することができ、カバー部材の製造が容易になる。また、端板部１１とカバー部材との間に係脱可能に装着するための切欠部１４と係止爪２１Ａ，２１Ｂを設けることで、施工の手間、コストを抑えることができると共に、デザイン性を向上することができる。美観性と操作性とを共に図ることができる。
【００３７】
また、カバー部材を装着する際に、接着等の作業が不要となり、カバー部材の交換等において取り付けおよび取り外しを簡易に行うことができる。
また、手摺部材１の端部に設けられたテーパ部３をフレーム１０の２個の端板部１１の凹部１３に配置し、且つ手摺部材１の外周面と端板部１１の外周面が同一外径を有するように形成されることで、従来のような間隙が存在せず、美観性が優れている。
【００３８】
また、湾曲部１２の中央部に第１のカバー部材２０Ａと第２のカバー部材２０Ｂを位置決めすると共に、湾曲部１２を補強する補強部１８を設けることで、湾曲部１２が薄く形成しても所望の強度を得ることができ、また、第１のカバー部材２０Ａと第２のカバー部材２０Ｂの装着が容易にできる。
【００３９】
以下、第２の実施の形態について説明する。第２の実施の形態において、手摺用コーナー接続具２００は、フレーム１０と、第１のカバー部材２０Ａと、第２のカバー部材２０Ｂと、スペーサ３０とから構成されている。
【００４０】
フレーム１０、第１のカバー部材２０Ａ、および第２のカバー部材２０Ｂは、上述した第１の実施の形態と同様な構成を有する。ここで、詳細説明を省略する。
【００４１】
図４は、スペーサ３０の構成を示す図である。図４（ａ）はスペーサ３０の平面図で、図４（ｂ）はスペーサ３０の側面図である。図４に示すように、スペーサ３０は、例えば樹脂材料で形成され、テーパ３２を形成された円盤３１と、３つの柱部３３とから構成されている。円盤３１の中央部にフレーム１０の端板部１１上の取付ネジ用穴１６と対応する取付ネジ用挿通部３４が設けられている。また、柱部３３はフレーム１０の端板部１１上の貫通穴１７に嵌め込むことができるように形成されている。
【００４２】
図５は、第２の実施の形態の手摺エンドとしての組立状態を示す斜視図である。図６は、手摺エンドとしての組立後の状態を示す断面図である。
【００４３】
図５，図６に示すように、手摺用コーナー接続具２００を装着する際に、まず、取付用ネジ５０でフレーム１０の一端を長尺状の手摺部材１に固定する。ここで、長尺状の手摺部材１の端部に設けられたテーパ部３をフレーム１０の端板部１１の凹部１３に配置し、取付用ネジ５０を取付ネジ用穴１６を介して手摺部材１の端面２に螺入する。
【００４４】
次に、フレーム１０の他端をスペーサ３０を介して壁面４０に固定する。ここで、スペーサ３０をフレーム１０と壁面との間に配置し、取付用ネジ６０でフレーム１０を壁面４０に固定する。ここで、スペーサ３０のテーパ部３２をフレーム１０の端板部１１の凹部１３に配置し、取付用ネジ６０を取付ネジ用穴１６を介して壁面４０に螺入する。
【００４５】
次に、第１のカバー部材２０Ａと第２のカバー部材２０Ｂとをフレーム１０に装着する。ここで、フレーム１０の補強部１８を位置決め凹状部２４Ａ，２４Ｂに嵌め込むように、さらに位置決め柱状部２２Ａ，２２Ｂをそれぞれ位置決め筒状部２３Ａ，２３Ｂに嵌め込むように第１のカバー部材２０Ａと第２のカバー部材２０Ｂとを対向して装着し、そして、第１のカバー部材２０Ａと第２のカバー部材２０Ｂの係止爪２１Ａ，２１Ｂをフレーム１０の切欠部１４に嵌入するように外側から押圧する。これで手摺用コーナー接続具２００の装着が完了する。
【００４６】
このように本実施の形態において、手摺用コーナー接続具２００は、フレーム１０と、第１のカバー部材２０Ａと、第２のカバー部材２０Ｂと、スペーサ３０とから構成される。端板部１１の端面にテーパ状側壁の凹部１３が設けられ、また端板部１１の内側において円周上の対向する位置の２箇所に切欠部１４が設けられる。また、第１のカバー部材２０Ａと第２のカバー部材２０Ｂとは、両端にそれぞれ係止爪２１Ａ，２１Ｂが設けられ、この係止爪２１Ａ，２１Ｂは、フレーム１０の切欠部１４に嵌入することで第１のカバー部材２０Ａと第２のカバー部材２０Ｂがフレーム１０に装着される。
【００４７】
これにより、カバー部材は同一形状のものを２個使用することができ、カバー部材の製造が容易になる。また、端板部１１とカバー部材との間に係脱可能に装着するための切欠部１４と係止爪２１Ａ，２１Ｂを設けることで、施工の手間、コストを抑えることができると共に、デザイン性を向上することができる。美観性と操作性とを共に図ることができる。
【００４８】
また、手摺のエンドとして利用できる。また、スペーサ３０を壁面４０に装着することで、壁面４０に傷をつけることを防止することができる。
【００４９】
なお、上述実施の形態において、手摺用コーナー接続具１００，２００は、フレーム１０に切欠部１４が設けられ、第１のカバー部材２０Ａと第２のカバー部材２０Ｂとは、両端にそれぞれ係止爪２１Ａ，２１Ｂが設けられるものとしたが、これに限定されるものではない。例えば、フレームに係止爪を設け、第１のカバー部材と第２のカバー部材にそれぞれ切欠部１４を設けるようにしてもよい。
【００５０】
また、上述実施の形態においては、手摺用コーナー接続具１００，２００が、丸棒状手摺に対応するように形成したものであるが、これに限定されるものではない。他の形状の手摺に対応するように形成してもよい。
【００５１】
また、上述実施の形態において、手摺用コーナー接続具１００，２００は、フレーム１０に１個の補強部１８が設けられるものとしたが、これに限定されるものではない。場合によって複数の補強部を設けるようにしてもよい。
【産業上の利用可能性】
【００５２】
本発明に係る手摺用コーナー接続具は、公共施設や住宅など廊下や階段の手摺からトイレや玄関の補助手摺まで広範囲な用途の手摺のコーナーまたはエンドに利用できる。
【図面の簡単な説明】
【００５３】
【図１】第１の実施の形態の手摺用コーナー接続具１００の構成を示す分解斜視図である。
【図２】フレーム１０の構成を示す側面図である。
【図３】手摺コーナーとしての組立状態を示す斜視図である。
【図４】スペーサ３０の構成を示す図である。
【図５】第２の実施の形態の手摺エンドとしての組立状態を示す斜視図である。
【図６】手摺エンドとしての組立後の状態を示す断面図である。
【符号の説明】
【００５４】
１  手摺部材
２  端面
３  テーパ部
１０  フレーム
１１  端板部
１２  湾曲部
１３  凹部
１４  切欠部
１５  貫通穴
１６  取付ネジ用穴
１７  貫通穴
１８  補強部
１９  逃げ部
２０Ａ  第１のカバー部材
２０Ｂ  第２のカバー部材
２１Ａ，２１Ｂ  係止爪
２２Ａ，２２Ｂ  位置決め柱状部
２３Ａ，２３Ｂ  位置決め筒状部
２４Ａ，２４Ｂ  位置決め凹状部
３０  スペーサ
３１  円盤
３２  テーパ
３３  柱部
４０  壁面
５０，６０  取付用ネジ
１００，２００  手摺用コーナー接続具
【図１】
2008002216.tif 000003
【図２】
2008002216.tif 000004
【図３】
2008002216.tif 000005
【図４】
2008002216.tif 000006
【図５】
2008002216.tif 000007
【図６】
2008002216.tif 000008